(57)【特許請求の範囲】
【請求項１】
合成樹脂製板状体により一体成形されたケースであって、底面部と、この底面部の左右両側縁から延び根元から折り曲げ自在に形成された左右両蓋部とからなり、上記底面部に植木鉢を載置する載置部を形成し、上記左右両蓋部の下部にそれぞれ植木鉢を位置決め固定する固定部を設けるとともに、この固定部の上側に、植木鉢が上方に抜け出すのを防止する突部を設けたことを特徴とする植木鉢収容ケース。
【請求項２】
上記突部の上面が下り傾斜面に形成されている請求項１記載の植木鉢収容ケース。
【発明の詳細な説明】
【０００１】
【発明の属する技術分野】
本発明は、植木鉢を容易に梱包し、取り出すことのできる植木鉢収容ケースに関するものである。
【０００２】
【従来の技術】
従来から、植木鉢を輸送等する際に、これを梱包する場合には、図１５に示すように、紙製収容ケース３０とダンボールゲス３１とが用いられている。これらを用い、植木鉢３２を収容ケース３０に梱包する場合には、植木鉢３２に植えた草木３３等の外周部に透明なシート３４を筒状に巻き付け、この植木鉢３２をダンボールゲス３１に設けた固定孔３１ａに差し込んで固定し、そののち、このダンボールゲス３１を収容ケース３０の上端開口部３０ａから内部に入れて底部に載置したのち、蓋３０ｂで上端開口部３０ａを閉蓋するようにしている。一方、植木鉢３２を収容ケース３０から取り出す場合には、収容ケース３０の蓋３０ｂを開蓋したのち、上端開口部３０ａから内部に手を差し入れ、底部に載置した植木鉢３２を外部に取り出すようにしている。
【０００３】
【発明が解決しようとする課題】
しかしながら、このものでは、植木鉢３２を収容ケース３０に梱包する場合には、植木鉢３２をダンボールゲス３１の固定孔３１ａに差し込んだのち、このダンボールゲス３１を収容ケース３０の上端開口部３０ａから内部に入れて底部に載置しなければならず、これらの作業に手間取る。また、収容ケース３０から植木鉢３２を取り出す場合には、収容ケース３０の上端開口部３０ａから内部に手を差し入れて植木鉢３２を取り出さなければならず、この作業がしずらい。しかも、輸送中等に植木鉢３２がダンボールゲス３１の固定孔３１ａから上方に抜け出し、草木３３等を傷付ける。さらに、収容ケース３０の上端開口部３０ａを蓋３０ｂで閉蓋しても、上端開口部３０ａと蓋３０ｂとの間に隙間が生じやすく、また、植木鉢３２に植えた草木３３等の外周部をシート３４で筒状に巻き付けただけであるため、保温性が悪い。例えば、北海道等に輸送する場合には、輸送中に草木３３等が外気により悪影響を受けて変色等する。また、植木鉢３２以外に収容ケース３０，ダンボールゲス３１が必要であり、部品点数が多く、また、嵩張る。
【０００４】
本発明は、このような事情に鑑みなされたもので、梱包作業や取り出し作業がしやすく、しかも、輸送中等に植木鉢が抜け出ることがなく、さらに、保温性が良くて部品点数の少ない植木鉢収容ケースの提供をその目的とする。
【０００５】
【課題を解決するための手段】
上記の目的を達成するため、本発明の植木鉢収容ケースは、合成樹脂製板状体により一体成形されたケースであって、底面部と、この底面部の左右両側縁から延び根元から折り曲げ自在に形成された左右両蓋部とからなり、上記底面部に植木鉢を載置する載置部を形成し、上記左右両蓋部の下部にそれぞれ植木鉢を位置決め固定する固定部を設けるとともに、この固定部の上側に、植木鉢が上方に抜け出すのを防止する突部を設けたという構成をとる。
【０００６】
すなわち、本発明の植木鉢収容ケースは、合成樹脂製板状体により一体成形されており、底面部と、この底面部の左右両側縁から延び根元から折り曲げ自在に形成された左右両蓋部とからなっている。したがって、本発明の植木鉢収容ケースに植木鉢を梱包する場合には、左右両蓋部を外側に折り曲げて底面部の左右両側に左右両蓋部を拡げた状態にし、その状態で、底面部に形成した載置部に植木鉢を横側方から載置したのち、左右両蓋部を内側に折り曲げて閉蓋することを行う。この状態では、左右両蓋部の下部に設けた固定部により植木鉢は位置決め固定されており、また、固定部の上側に設けた突部により、植木鉢が上方に抜け出すのが防止されている。一方、植木鉢を取り出す場合には、左右両蓋部を開蓋して外側に折り曲げ底面部の左右両側に拡げたのち、横側方から手を入れて植木鉢を取り出すことを行う。このように、本発明の植木鉢収容ケースでは、梱包作業および取り出し作業が容易に行える。しかも、左右両蓋部に突部を設けているため、輸送中等に植木鉢が上方に抜け出すことがない。さらに、一体成形された合成樹脂製板状体により植木鉢の全体が覆われているため、保温性が良い。また、合成樹脂製板状体により一体成形されているため、部品点数が少なく、嵩張ることもない。また、本発明において、上記突部の上面が下り傾斜面に形成されている場合には、輸送中等に、植木鉢に収容されていた土壌類が植木鉢から飛び出して突部の上方に飛び散ったとしても、上記突部の上面を伝って流下し、植木鉢に戻るため、輸送後等に開梱した際に、見栄えがよい。
【０００７】
【発明の実施の形態】
つぎに、本発明の実施の形態を図面にもとづいて詳しく説明する。
【０００８】
図１〜図４は本発明の植木鉢収容ケース１の一実施の形態を示している。これらの図において、２は底面部であり、３は上記底面部２の右側縁に右側折り曲げ部２ａ（図５参照）を介して内側に折り曲げ自在に連結された右側蓋部であり、４は上記底面部２の左側縁に左側折り曲げ部２ｂ（図５参照）を介して内側に折り曲げ自在に連結された左側蓋部である。これら各部２〜４は、厚み０．５ｍｍのＰＥＴ（ポリエチレンテレフタレート）製透明板を真空成形により型成形して一体成形した（図５参照）ものであり、底面部の長手方向に沿う中心線に対し左右対称形に形成されている（なお、後述する左右両蓋部３，４の係合用凹部２６ａ，２７ａおよび被係合用突部２６ｂ，２７ｂの形状が異なる）。このような植木鉢収容ケース１には、その内部に、草木６を植えた植木鉢５（図１４照）を３個収容することができる。この植木鉢５には、その内部に、土壌として、ハイドロボール（特殊な人工土）が収容されている。
【０００９】
上記底面部２には、図６および図７に示すように、その前後方向に、植木鉢５を載置する３つの載置部１０が設けられている。これら各載置部１０は、内外二重に設けた円環状の台部１１，１２からなり、両台部１１，１２の上面が植木鉢５の載置面１１ａ，１２ａに形成されている。また、上記底面部２には、図８および図９に示すように、その前後両側部に側壁部１３，１４が形成されているとともに、各載置部１０間に仕切り壁部１５が形成されている。そして、上記両仕切り壁部１５の前後両側面，前側壁部１３の後面および後側壁部１４の前面が、植木鉢５の外周面に沿う湾曲面に形成されており、この湾曲面により植木鉢５を位置決め固定できるようにしている。また、各壁部１３〜１５の左右両側面は傾斜面に形成されており、閉蓋時に後述する左右両蓋部３，４の下部の傾斜面３ａ，４ａが当接するようにしている。また、前側壁部１３の前面および後側壁部１４の後面に、閉蓋時に後述する左右両蓋部３，４の折り返し壁２９が当接する段部１３ａ，１４ａが形成さている。
【００１０】
上記左右両蓋部３，４の下部は、上記底面部２の各壁部１３〜１５の左右両側面（傾斜面）に対応する傾斜面３ａ，４ａと、この傾斜面３ａ，４ａの上端縁から延びる垂直面３ｂ，４ｂとを備えている。また、上記左右両蓋部３，４の下部には、それぞれ、上記載置部１０に対応する部分に、図１０に示すように、植木鉢５の外周面に沿う半円弧状の固定部１７が形成されており、各固定部１７により植木鉢５を位置決め固定できるようにしている。また、上記固定部１７の上部には、植木鉢５が上方に抜け出すのを防止する段部（突部）１８が形成されている。上記段部１８には、図１１および図１２に示すように、上記各固定部１７に対応する部分に、上記各固定部１７と同心状で、上記各固定部１７より小径の半円弧状の凹部１９が形成されており、この凹部１９の内周面が垂直面に形成されている。また、上記凹部１９の上面は、この凹部１９より大径の下り傾斜面２２に形成されている。このような段部１８の上部に、左右両蓋部３，４の略全長にわたって延びる略長方形状の草木６収容用の凹部２４が形成されており、この凹部２４の側壁に所定間隔をあけて７本の補強用リブ２５が上下方向に形成されている。図６において、２６ａは上記段部１８の内側面に設けた四角形状の係合用凹部であり、２６ｂは上記係合用凹部２６ａに着脱自在に嵌合しうる円筒形状の被係合用突部である。このような係合用凹部２６ａおよび被係合用突部２６ｂは、上記段部１８の内側面に、相対峙するようにして形成されている。また、２７ａは上記左右両蓋部３，４の手提げ部２８の内側面に設けた四角形状の係合用凹部であり、２７ｂは上記係合用凹部２７ａに着脱自在に嵌合しうる円筒形状の被係合用突部である。このような係合用凹部２７ａおよび被係合用突部２７ｂは、上記手提げ部２８の内側面に、相対峙するようにして形成されている。また、２９は上記左右両蓋部３，４の前後両端部に設けた折り返し壁部である。
【００１１】
上記構成において、植木鉢収容ケース１に植木鉢５を収容する場合には、図５に示すように、左右両蓋部３，４を底面部２の左右両側に拡げた状態にし、その状態で、底面部２の載置部１０に横側方から植木鉢５を載置したのち、左右両蓋部３，４を内側に折り曲げて（図１３参照）、手提げ部２８の係合用凹部２７ａと被係合用突部２７ｂを係合させることを行う。この閉蓋状態では、図１４に示すように、左右両蓋部３，４の下部に設けた固定部１７により植木鉢５は位置決め固定されているとともに、上記固定部１７の上側に設けた段部１８により、植木鉢５が上方に抜け出すのが防止されている。一方、植木鉢収容ケース１から植木鉢５を取り出す場合には、手提げ部２８の係合用凹部２７ａと被係合用突部２７ｂとの係合を外して、左右両蓋部３，４を外側に折り曲げたのち、横側方から手を入れ植木鉢５を取り出すことを行う。
【００１２】
このように、上記実施の形態では、梱包作業および取り出し作業が容易に行える。しかも、左右両蓋部３，４に段部１８を設けているため、輸送中等に植木鉢５が上方に抜け出すことがない。さらに、植木鉢収容ケース１で植木鉢５の全体が覆われているため、保温性が良い。また、植木鉢収容ケース１がＰＥＴ透明板により一体成形されているため、部品点数が少なく、嵩張ることもない。そのうえ、段部１８の上面が下り傾斜面２２に形成されているため、輸送中等に植木鉢５内のハイドロボールが植木鉢５から飛び出して上方に飛び散っても、上記下り傾斜面２２を伝って流下し、植木鉢５に戻る。
【００１３】
【発明の効果】
以上のように、本発明の植木鉢収容ケースによれば、これに植木鉢を梱包する場合には、左右両蓋部を外側に折り曲げて底面部の左右両側に左右両蓋部を拡げた状態にし、その状態で、底面部に形成した載置部に植木鉢を横側方から載置したのち、左右両蓋部を内側に折り曲げて閉蓋することを行う。この状態では、左右両蓋部の下部に設けた固定部により植木鉢は位置決め固定されており、また、固定部の上側に設けた突部により、植木鉢が上方に抜け出すのが防止されている。一方、植木鉢を取り出す場合には、左右両蓋部を開蓋して外側に折り曲げ底面部の左右両側に拡げたのち、横側方から手を入れて植木鉢を取り出すことを行う。このように、本発明の植木鉢収容ケースでは、梱包作業および取り出し作業が容易に行える。しかも、左右両蓋部に突部を設けているため、輸送中等に植木鉢が上方に抜け出すことがない。さらに、一体成形された合成樹脂製板状体により植木鉢の全体が覆われているため、保温性が良い。また、合成樹脂製板状体により一体成形されているため、部品点数が少なく、嵩張ることもない。また、本発明において、上記突部の上面が下り傾斜面に形成されている場合には、輸送中等に、植木鉢に収容されていた土壌類が植木鉢から飛び出して突部の上方に飛び散ったとしても、上記突部の上面を伝って流下し、植木鉢の内部に戻る。したがって、輸送後等に開梱した際に、見栄えがよい。
【図面の簡単な説明】
【図１】本発明の植木鉢収容ケースの一実施の形態を示す斜視図である。
【図２】上記植木鉢収容ケースの正面図である。
【図３】上記植木鉢収容ケースの側面図である。
【図４】上記植木鉢収容ケースの上面図である。
【図５】上記植木鉢収容ケースを拡げた状態を示す図である。
【図６】上記植木鉢収容ケースの内部説明図である。
【図７】上記植木鉢収容ケースの要部の断面図である。
【図８】底面部の断面図である。
【図９】底面部の正面図である。
【図１０】右側蓋部の下部の要部断面図である。
【図１１】右側蓋部の上部の要部断面図である。
【図１２】右側蓋部の要部斜視図である。
【図１３】梱包作業を示す説明図である。
【図１４】上記植木鉢収容ケースに植木鉢を収容した状態を示す断面図である。
【図１５】従来例を示す斜視図である。
【符号の説明】
１  植木鉢収容ケース
２  底面部
３  右側蓋部
４  左側蓋部
５  植木鉢
１０  載置部
１７  固定部
１８  段部
【図１】
0003868068.tif 000002
【図２】
0003868068.tif 000003
【図３】
0003868068.tif 000004
【図４】
0003868068.tif 000005
【図５】
0003868068.tif 000006
【図６】
0003868068.tif 000007
【図７】
0003868068.tif 000008
【図８】
0003868068.tif 000009
【図９】
0003868068.tif 000010
【図１０】
0003868068.tif 000011
【図１１】
0003868068.tif 000012
【図１２】
0003868068.tif 000013
【図１３】
0003868068.tif 000014
【図１４】
0003868068.tif 000015
【図１５】
0003868068.tif 000016